(57)【特許請求の範囲】
【請求項１】
メッセージデータを作成する作成手段と、
自己の現在位置を示す位置データを取得する位置データ取得手段と、
前記メッセージデータの送信先に前記位置データ取得手段によって取得された位置データに関連する情報の表示を指示する指示手段と、
この指示手段によって位置データに関連する情報の表示が指示されると、前記位置データ取得手段によって取得された位置データにこの位置データに関連する情報を表示させるための識別情報を付加する情報付加手段と、
前記作成手段によって作成されたメッセージデータとともに前記情報付加手段により識別情報が付加された位置データを送信する送信手段と
を備えた送信装置と、
前記メッセージデータを受信する受信手段と、
この受信手段によって受信されたメッセージデータに基づくメッセージを表示する表示手段と、
前記メッセージデータとともに識別情報が付加された位置データを受信したか否かを判断する判断手段と、
この判断手段により識別情報が付加された位置データを受信したと判断されると、この位置データに関連する情報を取得する取得手段と、
この取得手段により取得された前記位置データに関連する情報を前記表示手段に表示させる表示制御手段と
を備えた受信装置と、
からなることを特徴とするデータ送受信システム。
【請求項２】
前記位置データに関連する情報とは、位置データに対応する特定地域を示す場所名であることを特徴とする請求項１に記載のメッセージデータ送受信システム。
【請求項３】
メッセージデータを作成する作成手段と、
自己の現在位置を示す位置データを取得する位置データ取得手段と、
前記メッセージデータの送信先に前記位置データ取得手段によって取得された位置データに関連する情報の表示を指示する指示手段と、
この指示手段によって位置データに関連する情報の表示が指示されると、前記位置データ取得手段によって取得された位置データにこの位置データに関連する情報を表示させるための識別情報を付加する情報付加手段と、
前記作成手段によって作成されたメッセージデータとともに前記情報付加手段により識別情報が付加された位置データを送信する送信手段と
を備えたことを特徴とするメッセージデータ送信装置。
【請求項４】
前記位置データに関連する情報とは、位置データに対応する特定地域を示す場所名であることを特徴とする請求項３に記載のメッセージデータ送信装置。
【請求項５】
メッセージデータを作成するメッセージデータ作成ステップと、
自己の現在位置を示す位置データを取得する位置データ取得ステップと、
前記メッセージデータの送信先に前記位置データ取得ステップにて取得された位置データに関連する情報の表示を指示する指示ステップと、
この指示ステップにて位置データに関連する情報の表示が指示されると、前記位置データ取得ステップにて取得された位置データにこの位置データに関連する情報を表示させるための識別情報を付加する情報付加ステップと、
前記作成ステップにて作成されたメッセージデータとともに前記情報付加ステップにより識別情報が付加された位置データを送信する送信ステップと
からなることを特徴とするメッセージデータ送信方法。
【発明の詳細な説明】
【０００１】
【産業上の利用分野】
本発明は、メッセージデータ送受信システム、メッセージデータ送信装置、及び、メッセージデータ送信方法に関する。
【０００２】
【従来の技術】
従来、ページング受信機においては、文字や数字からなる簡単なメッセージを受信して表示できるものが一般的となっている。
【０００３】
【発明が解決しようとする課題】
しかしながら、このような従来のページング受信機にあっては、メッセージを受け取ったとき相手がどこにいるのかを知ることができず、相手がどこにいるのかを知るためには、送信者が送信メッセージとして自己の場所データを入力し送信しなければならなかった。
【０００４】
本発明は、このような従来の課題に鑑みてなされたものであり、自己の居場所を知らせることができるメッセージデータ送受信システム、メッセージデータ送信装置、及び、メッセージデータ送信方法を提供することを目的とする。
【０００５】
【課題を解決するための手段】
前記課題を解決するために本発明のメッセージデータ送受信システムにあっては、メッセージデータを作成する作成手段と、自己の現在位置を示す位置データを取得する位置データ取得手段と、前記メッセージデータの送信先に前記位置データ取得手段によって取得された位置データに関連する情報の表示を指示する指示手段と、この指示手段によって位置データに関連する情報の表示が指示されると、前記位置データ取得手段によって取得された位置データにこの位置データに関連する情報を表示させるための識別情報を付加する情報付加手段と、前記作成手段によって作成されたメッセージデータとともに前記情報付加手段により識別情報が付加された位置データを送信する送信手段とを備えた送信装置と、前記メッセージデータを受信する受信手段と、この受信手段によって受信されたメッセージデータに基づくメッセージを表示する表示手段と、前記メッセージデータとともに識別情報が付加された位置データを受信したか否かを判断する判断手段と、この判断手段により識別情報が付加された位置データを受信したと判断されると、この位置データに関連する情報を取得する取得手段と、この取得手段により取得された前記位置データに関連する情報を前記表示手段に表示させる表示制御手段とを備えた受信装置とからなる。
【０００６】
また、メッセージデータ送信装置にあっては、主として、メッセージデータを作成する作成手段と、自己の現在位置を示す位置データを取得する位置データ取得手段と、前記メッセージデータの送信先に前記位置データ取得手段によって取得された位置データに関連する情報の表示を指示する指示手段と、この指示手段によって位置データに関連する情報の表示が指示されると、前記位置データ取得手段によって取得された位置データにこの位置データに関連する情報を表示させるための識別情報を付加する情報付加手段と、前記作成手段によって作成されたメッセージデータとともに前記情報付加手段により識別情報が付加された位置データを送信する送信手段とを備えている。また、本発明のメッセージデータ送信方法にあっては、メッセージデータを作成するメッセージデータ作成ステップと、自己の現在位置を示す位置データを取得する位置データ取得ステップと、前記メッセージデータの送信先に前記位置データ取得ステップにて取得された位置データに関連する情報の表示を指示する指示ステップと、この指示ステップにて位置データに関連する情報の表示が指示されると、前記位置データ取得ステップにて取得された位置データにこの位置データに関連する情報を表示させるための識別情報を付加する情報付加ステップと、前記作成ステップにて作成されたメッセージデータとともに前記情報付加ステップにより識別情報が付加された位置データを送信する送信ステップとからなる。
【０００７】
【作用】
前記構成のメッセージデータ送受信システムにおいては、送信装置は、指示手段により作成されたメッセージデータの送信先に位置データ取得手段によって取得された位置データに関連する情報の表示が指示されると、情報付加手段が取得された位置データにこの位置データに関連する情報を表示させるための識別情報（識別コード）を付加する。そして、送信手段が作成されたメッセージデータとともに識別情報が付加された位置データを送信する。一方、受信装置は、判断手段が前記メッセージデータとともに識別情報が付加された位置データを受信したか否かを判断し、識別情報が付加された位置データを受信したと判断されると、取得手段がこの位置データに関連する情報を取得して、受信したメッセージデータに基づくメッセージを表示する表示手段に、取得された前記位置データに関連する情報を表示させる。
【０００８】
また、前記構成のメッセージデータ送信装置においては、指示手段により作成されたメッセージデータの送信先に位置データ取得手段によって取得された位置データに関連する情報の表示が指示されると、情報付加手段が取得された位置データにこの位置データに関連する情報を表示させるための識別情報（識別コード）を付加する。そして、送信手段が作成されたメッセージデータとともに識別情報が付加された位置データを送信する。
【０００９】
また、前記構成のメッセージデータ送信方法においては、メッセージデータ作成ステップにてメッセージデータを作成し、位置データ取得ステップにて自己の現在位置を示す位置データを取得する。そして指示ステップにて前記メッセージデータの送信先に前記位置データ取得ステップにて取得された位置データに関連する情報の表示が指示されると、情報付加ステップにて取得された位置データにこの位置データに関連する情報を表示させるための識別情報を付加し、送信ステップにて作成されたメッセージデータとともに前記情報付加ステップにより識別情報が付加された位置データを送信する。
【００１０】
【実施例】
以下、本発明の一実施例を図にしたがって説明する。図１は本発明の送信装置及び受信装置に係るページング受信機を示すブロック図であって、このページング受信機は、ＣＰＵ１を中心として構成されている。ＣＰＵ１は内蔵のＲＯＭに予め設定されたプログラムデータに基づき装置全体を制御するものであって、本発明の位置データ取出手段、及び場所名データ読出手段を実現している。
【００１１】
ページャー受信部２は受信手段であって、アンテナ３で受信されたＦＭ信号を復調する回路である。ＩＤ−ＲＯＭ４は、ページング受信機に個別に割り当てられているＩＤコード等を記憶した記憶装置である。デコーダ部５は、ページャー受信部２を間欠的に動作させ復調された受信信号を解読するとともに、受信信号に含まれたＩＤコードとＩＤ−ＲＯＭ４に記憶されているＩＤコードとが一致するとき、すなわち受信信号が自己に対するものであるとき、一致検出信号及び受信したメッセージ信号をＣＰＵ１に送る回路である。また、ＧＰＳ受信部６はアンテナ７が受信した衛星からのＬ１帯のＣ／Ａコードを復調する回路である。位置演算部８は、ＧＰＳ受信部６と共に本発明の位置データ取得手段を構成する回路であって、ＧＰＳ受信部６により復調されたＣ／Ａコードを解読して現在地の緯度・経度等つまり位置データを割り出しＣＰＵ１に送る回路である。
【００１２】
キー入力部９は、リセットスイッチ、表示切替スイッチ、モードスイッチ、データ入力用キー、ダイアラーキー、終了キー等を備えており、何れかのスイッチが操作されたとき、それぞれに対応したキー入力信号をＣＰＵ１に送出するよう構成されている。受信データメモリ１０は、呼び出しに際して送られてきたメッセージデータを記憶する。入力データメモリ１１は、初期状態で設定されているデータ及び使用者によって入力されたデータを記憶する記憶手段であって、図２に示すように、場所データメモリ領域ａとＴＥＬバンクメモリ領域ｂとメッセージメモリ領域ｃとを有している。場所データメモリ領域ａには、場所名と、それに対応する経度ｘ、緯度ｙ、半径ｒとからなる１組のデータが一定数記憶されており、これによって本発明の記憶手段が実現されている。なお、前記１組のデータは、使用者自身が入力して記憶させることも可能であり、また、前記場所名は、経度ｘと緯度ｙで示される地図上の座標位置ｘ，ｙから半径ｒの範囲にある特定地域を示す地名又は任意の名称である。また、前記ＴＥＬバンクメモリ領域ｂには、名前と、それに対応する電話番号、該電話番号がページャー呼出番号であるか否かを表すページャー識別情報とからなる１組のデータを一定数記憶させることができ、前記メッセージメモリ領域ｃには、一定数のメッセージデータを記憶させることができる。
【００１３】
ダイアラーバッファ１２は、ＣＰＵ１から送られてきた電話番号データ、メッセージデータがセットされるバッファである。なお、ＣＰＵ１に内蔵されているＲＯＭには、図３に示したような変換テーブルが記憶されており、ダイアラーバッファ１２にセットされるデータは、前記変換テーブルを用いて全てが数字で表されたデータに変換されセットされるようになっている。ＤＴＭＦ（Dual Tone Multi Frequency）信号発生部１３は、ダイアラーバッファ１２にセットされた、数字データを順次取り出し、その数字データに対応するダイアル音の音声信号すなわちＤＴＭＦ信号を発生し、第１の増幅回路１４に送出するとともに、全ての数字データに対応するＤＴＭＦ信号を送出した後に送出完了信号をＣＰＵ１に送出する回路である。第１の増幅回路１４はＤＴＭＦ信号発生部１３からのＤＴＭＦ信号を増幅する回路であり、ダイアル音用スピーカー１５は増幅されたＤＴＭＦ信号によりダイアル音を発生する。つまり、前述したダイアラーバッファ１２、ＤＴＭＦ信号発生部１３により本発明の送信手段が実現されている。
【００１４】
放音信号発生部１６は、ＣＰＵ１の制御の下に呼び出し音用の放音信号を発生し、それを第２の増幅回路１７に送出する回路である。第２の増幅回路１７は、送られてきた放音信号を増幅しスピーカー１８に送る回路である。スピーカー１８は送られた放音信号により動作し、報知音を放音することによって、自己に対する信号の受信があったこと等を報知する。点滅パターン信号発生部１９は、ＣＰＵ１からの信号を受けて点滅パターン信号を発生し、それを第３の増幅回路２０に送出する回路である。第３の増幅回路２０は、送られてきた点滅パターン信号を増幅しＬＥＤ２１に供給する回路である。ＬＥＤ２１は、供給された点滅パターン信号により動作し、所定のパターンにて点滅することによって、自己に対する信号の受信があったことを報知する。
【００１５】
キャラクタージェネレータ２２は、文字・数字に係るパターンデータを発生しそれを表示バッファ２３に送出する回路である。表示バッファ２３は表示部２４に表示すべき各種マークのパターンデータ、及び文字・数字のパターンデータがそれぞれＣＰＵ１及びキャラクタージェネレータ２２から送られてきてセットされる回路である。表示部２４は、本発明の表示手段を構成する回路であり、液晶表示パネルを備えるとともに、受信したメッセージ、及び位置データや場所名、各種モードの設定状態等を表示する回路である。なお、通常モードにおいて表示部２４に受信メッセージが表示されていないときには、受信を待機している状態であることを示すマーク、及び現在時刻を表示するようになっている。
【００１６】
次に、以上の構成からなる本実施例の動作を説明する。すなわち、図４は、本実施例のページング受信機におけるメッセージデータ送信処理にかかるＣＰＵ１の処理内容を示すフローチャートであって、送信処理に伴いメッセージが入力（あるいは、記憶されているメッセージデータが読出されてセット）されると（ＳＡ１）、連結キーが操作されたか否かを判断する（ＳＡ２）。ここで連結キーが操作されなかったときには（ＳＡ２でＮＯ）、そのままステップＳＡ７へ進み、ダイアラーキーが操作されたか否かを判断する（ＳＡ７）。ダイアラーキーが操作されると（ＳＡ７でＹＥＳ）、メッセージデータをＤＴＭＦ信号に順次変換させダイアル音として出力させた後（ＳＡ８）、処理を終了する。これにより、メッセージを送信相手であるページング受信機に送ることができる。
【００１７】
また、前述したステップＳＡ２で連結キーが操作されたときには（ＹＥＳ）、位置演算部８から送出された位置データに基づき場所名を検索する（ＳＡ３）。つまり緯度ｘ、経度ｙによって示される現在位置が、入力データメモリ１１に記憶されているどの特定地域に該当するかを検索する。次に、該当する場所名が検索できたか否かを判断し（ＳＡ４）、検索できたときには（ＳＡ４でＹＥＳ）、検索した場所名を読み出すとともに、図５（ａ）に示すように入力されたメッセージ本文に場所名を、連結し送信データを生成した後（ＳＡ５）次へ進む。逆に検索できなかったとき、すなわち該当する場所名が記憶されていないときには（ＳＡ４でＮＯ）、図５（ｂ）に示すように入力されたメッセージ本文に位置データを、データの区切りを示す識別コードを介して連結し送信データを生成した後（ＳＡ６）次へ進む。そして、前述したステップＳＡ７にて、メッセージに位置データ（又は場合名データ）が連結された送信データとをＤＴＭＦ信号に順次変換させ、ダイアル音として出力させた後（ＳＡ８）、処理を終了する。これにより、メッセージだけでなく位置データ（緯度ｘ，経度ｙ）、又は場所名を自動的に送り、送信相手に自己の居場所を知らせることができる。
【００１８】
一方、前述したステップＳＡ７でダイアラーキーが操作されない場合には（ＮＯ）、終了キーが操作されたか否かを判断し（ＳＡ９）、終了キーが操作されたときには（ＳＡ９でＹＥＳ）そのまま処理を終了し、操作されないときにはステップＳＡ２へ戻り（ＳＡ９でＮＯ）、前述した処理を繰り返す。なお、本実施例においては、送信に際して、メッセージに連結するものを、基本的には場所名とする一方、位置データに該当する場所名が存在しない場合についてのみ位置データを連結するものについて説明したが、これに限らず、位置データのみを連結させたり、又は該当する場所名と位置データとの双方を連結させるようにしても構わない。
【００１９】
図６は、本実施例において、本実施例と同様の機能を有する送信装置からメッセージに位置データが連結された送信データが送られた場合における、受信処理にかかるＣＰＵ１の処理内容を示すフローチャートであって、受信処理が開始されると、受信信号が自己に対するものであるとき、受信信号からメッセージデータを取り込み（ＳＢ１）、そのメッセージに位置データが連結されているか否かを判断する（ＳＢ２）。なお、かかる判断はメッセージ本文の後に前述した識別コードが存在するか否かにより行われる。そして、位置データが連結されていない場合には（ＳＢ２でＮＯ）、取り込んだメッセージ（場所名が連結されているメッセージを含む）を表示部２４に表示した後（ＳＢ３）、処理を終了する。
【００２０】
一方、ステップＳＢ２にて、位置データが連結されていると判断した場合には（ＹＥＳ）、位置データ（緯度ｘ，経度ｙ）を取り出すとともに、取り出した位置データに基づき入力データメモリ１１から場所名を検索する（ＳＢ４）。そして、場所名が検索できた場合には（ＳＢ５でＹＥＳ）、メッセージ本文と場所名とを表示部２４の液晶表示パネルに表示して（ＳＢ６）受信処理を終了し、場所名が検索できない場合には（ＳＢ５でＮＯ）、メッセージ本文と位置データとを液晶表示パネルに表示して（ＳＢ７）受信処理を終了する。これにより、メッセージデータを送信した相手の居場所を知ることができる。なお、本実施例において、予め受信して受信データメモリ１０に記憶されていたメッセージデータを読み出す場合においても、前述したステップＳＢ２以降の処理が行われる。
【００２１】
図７に、前述した受信処理時の液晶表示パネルにおける表示例を示す。（ａ）は場所名が検索できた場合、（ｂ）は場所名が検索できなかった場合であり、液晶表示パネルの中央にはメッセージ本文が表示され、かつ右下部には相手の居場所を示す場所名（ａ）又は位置データ（ｂ）が表示される。また、本実施例においては、液晶表示パネルの上部に自己の居場所を示す場所名（ａ）又は位置データ（ｂ）を表示させており、かかる自己の場所名及び位置データは、必要に応じて、自己の現在の位置データを取得し、又は取得した位置データに基づき場所名を検索することによって得られたものである。
【００２２】
なお、本実施例においては、主としてページング受信機に本発明を採用した場合について説明したが、これに限らず、携帯電話機やＦＭ多重受信機等の他の通信装置に本発明を採用してもよい。また、本実施例においては、送信装置としての機能と受信装置としての機能との双方を兼ね備えたものについて説明したが、何れか一方の機能のみを有するものであってもよい。また、例えば、車載用のナビゲーション装置のようにＣＤ−ＲＯＭにより、又はＩＣカードにより地図データを備え、かつ地図データを表示する表示装置を備えた装置にあっては、メッセージの受信（又は読み出し）に際して、図８に示したように、表示装置に表示した地図に自他双方の居場所を示すマークを付加するようにしてもよい。
【００２３】
また、本実施例においては、メッセージデータを送信する手段としてデイアラーを用いたが、例えば、有線、光信号等によりメッセージデータを送信するようにしても良い。
【００２４】
【発明の効果】
以上説明したように、本発明のメッセージデータ送受信システムによれば、送信装置は、指示手段により作成されたメッセージデータの送信先に位置データ取得手段によって取得された位置データに関連する情報の表示が指示されると、情報付加手段が取得された位置データにこの位置データに関連する情報を表示させるための識別情報（識別コード）を付加する。そして、送信手段が作成されたメッセージデータとともに識別情報が付加された位置データを送信する。一方、受信装置は、判断手段が前記メッセージデータとともに識別情報が付加された位置データを受信したか否かを判断し、識別情報が付加された位置データを受信したと判断されると、取得手段がこの位置データに関連する情報を取得して、受信したメッセージデータに基づくメッセージを表示する表示手段に、取得された前記位置データに関連する情報を表示させるため、送信者は、いちいち居場所を示すメッセージを入力せずとも、取得した位置データにこの位置データに関連する情報の表示を指示する識別情報を付加するだけで送信者の自己の居場所を知らせることでき、一方、受信者は、送信者から位置データに関連する情報を受信することなくこれを知ることができ便利である。
【００２５】
また、本発明のメッセージデータ送信装置によれば、指示手段により作成されたメッセージデータの送信先に位置データ取得手段によって取得された位置データに関連する情報の表示が指示されると、情報付加手段が取得された位置データにこの位置データに関連する情報を表示させるための識別情報（識別コード）を付加する。そして、送信手段が作成されたメッセージデータとともに識別情報が付加された位置データを送信するため、いちいち居場所を示すメッセージを入力せずとも、取得した位置データにこの位置データに関連する情報の表示を指示する識別情報を付加するだけで自己の居場所を知らせることができる。
【００２６】
また、本発明のメッセージデータ送信方法によれば、メッセージデータ作成ステップにてメッセージデータを作成し、位置データ取得ステップにて自己の現在位置を示す位置データを取得する。そして指示ステップにて前記メッセージデータの送信先に前記位置データ取得ステップにて取得された位置データに関連する情報の表示が指示されると、情報付加ステップにて取得された位置データにこの位置データに関連する情報を表示させるための識別情報を付加し、送信ステップにて作成されたメッセージデータとともに前記情報付加ステップにより識別情報が付加された位置データを送信するため、いちいち居場所を示すメッセージを入力せずとも、取得した位置データにこの位置データに関連する情報の表示を指示する識別情報を付加するだけで自己の居場所を知らせることできる。
【図面の簡単な説明】
【図１】本発明の一実施例を示すページング受信機のブロック図である。
【図２】同実施例の入力データメモリのデータ格納構造を示す模式図である。
【図３】同実施例のＣＰＵが有するＲＯＭに記憶されている変換テーブルを示す模式図である。
【図４】同実施例における送信処理に係る制御フローチャートである。
【図５】同実施例の送信データの構造を示す模式図である。
【図６】同実施例における受信処理に係る制御フローチャートである。
【図７】同実施例の液晶表示パネルにおける表示例を示す図である。
【図８】他の表示装置を用いた場合の表示例を示す図である。
【符号の説明】
１    ＣＰＵ
２    ページャー受信部
５    デコーダ部
６    ＧＰＳ受信部
８    位置演算部
１２    ダイアラーバッファ
１３    ＤＴＭＦ信号発生部
【図１】
0003658628.tif 000002
【図２】
0003658628.tif 000003
【図３】
0003658628.tif 000004
【図４】
0003658628.tif 000005
【図５】
0003658628.tif 000006
【図６】
0003658628.tif 000007
【図７】
0003658628.tif 000008
【図８】
0003658628.tif 000009